(57)【要約】      （修正有）【課題】新規な楽しみ方を実現可能とし、新鮮かつ斬新なアイデアを実現する飲料容器を提供する。【解決手段】文字１５や図柄等を表示するための吹き出し枠１７を有し、吹き出し枠の尖端部１７ａが飲み口１２側に向けて設けられる飲料容器１である。飲料容器の飲み口を口に近づける、或いは、口に咥えることにより、あたかも、吹き出し枠に表示された文字等を擬似的に発している状態を表現することができ、画像写真とすることで、漫画の一コマのような写真を作製することができる。写真はＳＮＳやチャットなどのコミュニケーションツールを使用して共有することができ、新鮮かつ斬新で新たな表現方法として楽しむことができる。【選択図】図２
0003210137.tif 000002
【実用新案登録請求の範囲】
【請求項１】
文字や図柄等を表示するための吹き出し枠を有し、
前記吹き出し枠の尖端部が飲み口側に向けられるように設けられる、飲料容器。
【請求項２】
前記尖端部は尖端を通過する中心線に対し線対称とする略三角形状をなすものであり、
前記中心線が筒状の前記飲み口の軸線と一致する、
ことを特徴とする請求項１に記載の飲料容器。
【請求項３】
前記尖端部の尖端は、前記飲み口の基端部の近傍に配置される、
ことを特徴とする請求項１又は請求項２に記載の飲料容器。
【請求項４】
前記吹き出し枠は、前記飲料容器の容器本体の外周面にラッピングされるフィルムに表示される、
ことを特徴とする請求項１乃至請求項３のいずれか一項に記載の飲料容器。
【請求項５】
前記飲料容器の外観は、少なくとも表面と裏面の二つの面を形成し得る構成としており、
表面側と裏面側にそれぞれ前記吹き出し枠が表示されており、
表面側と裏面側の前記吹き出し枠に表示される内容が相違する、
ことを特徴とする請求項１乃至請求項４のいずれか一項に記載の飲料容器。
【考案の詳細な説明】
【技術分野】
【０００１】
本考案は、飲み口を有する飲料容器に関するものであり、より詳しくは、飲料容器の外部の外観に関するものである。
【背景技術】
【０００２】
従来の飲料容器の外観について、例えば、特許文献１に開示されるように、表装の一部に手書き文字で様々なメッセージを書き込める手書き表示欄を設けたものが知られている。需要者はこの表示欄を利用して自由にメッセージを書き加えることができる。結婚式や宴会などで良好なコミュニケーションを行う際に利用されることが想定されている。
【０００３】
また、特許文献２では、容器の表面に漫画のキャラクターの顔、吹き出し欄、及び、台詞（セリフ）を印刷する例が開示されており、当該漫画に興味を持つ消費者への販促効果を向上させることについて記載されている。
【先行技術文献】
【特許文献】
【０００４】
【特許文献１】特開２００９−２４９０３９号公報
【特許文献２】特開２０１５−１６８６９号公報
【考案の概要】
【考案が解決しようとする課題】
【０００５】
上述した従来技術において、飲料容器に表示されるメッセージなどの情報は、飲料容器がテーブルなどに置かれた状態、或いは、相手が手に取った状態で相手側に視認させることが想定される。
【０００６】
このため、メッセージなどの発信者側による発信のタイミングと、相手側の受信のタイミングにタイムラグが生じるものであるといえる。この点に関し、発信者が飲料容器を手にとって相手側に見せることによれば、ここでいうタイムラグが生じることは無いが、単にメッセージを相手に見せるだけであり、面白みを考慮したものではない。
【０００７】
他方、現在では、スマートフォンの急速な普及により、メールはもとよりＳＮＳや各種チャットなどのコミュニケーションツールを用いて写真画像を交換しあうことや、インターネット上へのアップロードによる公開・共有が行われるようになり、これらのツールのユーザー数も爆発的に増加している。
【０００８】
これらツールが浸透してから数年が経過しており、メジャーなツールのユーザーは、日常的にツールを利用してコミュニケーション等を行うものの、そのツールの利用方法は成熟した領域に入っていると考えられる。
【０００９】
例えば、感情を表すスタンプといわれる図柄で文字を利用せずに意思伝達をすることや、写真のみをアップロードして文字無しで公開をすることや、顔写真を自動加工して装飾効果を施すなど、多種多様な楽しみ方が行われているが、どのような方法であっても、世の中にリリースがされた後の時間の経過により、新鮮さや斬新さが失われるものであり、常に新しい楽しみ方が求められる時代であるといえる。
【００１０】
以上のような状況において、考案者らは、飲料容器を用いてリアルタイムにメッセージを伝える方法について、より楽しむことができる新たな方法を検討するとともに、さらに、その方法が、現在のコミュニケーションツールを利用する際にも有効に利用することができ、新鮮かつ斬新で新たな表現方法として楽しむことができることを念頭に入れた上で、本願考案を完成するに到った。
【００１１】
以上のように、本願考案は、飲料容器に関連して新規な楽しみ方を実現可能とすることを課題とするものであり、従来にない新鮮かつ斬新なアイデアを世の中に提供するものである。
【課題を解決するための手段】
【００１２】
本考案の解決しようとする課題は以上の如くであり、次にこの課題を解決するための手段を説明する。
【００１３】
即ち、請求項１に記載のごとく、
文字や図柄等を表示するための吹き出し枠を有し、
前記吹き出し枠の尖端部が飲み口側に向けられるように設けられる、飲料容器とする。
【００１４】
また、請求項２に記載のごとく、
前記尖端部は尖端を通過する中心線に対し線対称とする略三角形状をなすものであり、
前記中心線が筒状の前記飲み口の軸線と一致する、こととする。
【００１５】
また、請求項３に記載のごとく、
前記尖端部の尖端は、前記飲み口の基端部の近傍に配置される、こととする。
【００１６】
また、請求項４に記載のごとく、
前記吹き出し枠は、前記飲料容器の容器本体の外周面にラッピングされるフィルムに表示される、こととする。
【００１７】
また、請求項５に記載のごとく、
前記飲料容器の外観は、少なくとも表面と裏面の二つの面を形成し得る構成としており、
表面側と裏面側にそれぞれ前記吹き出し枠が表示されており、
表面側と裏面側の前記吹き出し枠に表示される内容が相違する、こととする。
【考案の効果】
【００１８】
本考案の効果として、以下に示すような効果を奏する。
【００１９】
即ち、請求項１に記載の考案においては、
飲料容器の飲み口を口に近づける、或いは、口に咥えることにより、あたかも、吹き出し枠に表示された文字等を擬似的に発している状態を表現することができ、画像写真とすることで、漫画（マンガ）の一コマのような写真を作製することができる。そして、この写真はそのまま台詞（セリフ）付きの人物写真として完成されるものであり、画像処理も必要ないため、極めて容易に作製することができ、ＳＮＳやチャットなどの各種コミュニケーションツールを使用して容易に共有することができ、新鮮かつ斬新で新たな表現方法として楽しむことができる。
このように写真で楽しむ他、飲料容器を口に近づける、咥える等の動作をしてその場にいる人たちに見せてその時の自分の気持ちを表現したり、その場の会話に応じたリアクションとして周囲の人達にアピールするなどの楽しみ方もできる。
【００２０】
また、請求項２に記載の考案においては、
飲み口が口に咥えられた際に、顔を横から見た場合には尖端部を必ず上唇と下唇の間にピッタリ合わせることができ、顔を正面から見た場合には尖端部を唇横幅の中心にピッタリ合わせることができ、吹き出し枠を利用した表現において、最も好適な尖端部の配置を実現することができる。
【００２１】
また、請求項３に記載の考案においては、
吹き出し枠の尖端部を口元により近づけることができ、より自然に言葉などを発している様子を表現することができる。
【００２２】
また、請求項４に記載の考案においては、
フィルムに印刷される吹き出し枠や、その中に表示される文字などのバリエーションを準備することで、さまざまなバリエーションの飲料容器を容易に市場に提供することができる。
【００２３】
また、請求項５に記載の考案においては、
例えば、表面側には縦方向に読める文字を表示し、裏面側には横方向に読める文字を表示することによれば、適宜容器本体の傾き角度を替えつつ、台詞などの文字を横方向に発している様子と、縦方向に発している様子を表現することができる。また、意味内容の異なる複数種類の表示を一つの飲料容器に表示することによれば、一つの飲料容器により複数の意味を伝えることが可能となり、楽しみ方を広げることができる。
【図面の簡単な説明】
【００２４】
【図１】本考案にかかる飲料容器を用いて自撮りを行う様子について示すものである。
【図２】（ａ）〜（ｃ）は、飲料容器の例を示すものである。
【図３】（ａ）〜（ｅ）は、写真画像の例を示すものである。
【図４】フィルムの一例について示すものである。
【考案を実施するための形態】
【００２５】
以下、添付図面を参照しながら本考案の飲料容器について説明する。
図１は、飲料容器１の使用例について示すものであり、人物２が右手で飲料容器１を把持して飲み口を自身の口に近づけつつ、左手でスマートフォン４を操作して、自身の顔６と飲料容器１を撮影する、所謂『自撮り』をしている様子を示すものである。
【００２６】
図２（ａ）は、飲料容器１の一実施例について示すものであり、ペットボトル（ＰＥＴボトル）の容器本体１１に、フィルム１３がラッピングされており、このフィルム１３に文字１５が表示される吹き出し枠１７が設けられる構成としている。
【００２７】
容器本体１１は、容器の開口部となる飲み口１２を有し、容器内の飲料を飲む際に直接口に咥えられることで、口腔内に進入されるものである。
【００２８】
飲み口１２は、容器本体１１の肩部１１ａから突出されており、飲み口１２と肩部１１ａの境界部の近傍にいたる部位までがフィルム１３により覆われている。
【００２９】
フィルム１３はプラスチックの薄膜で構成されるものであり、熱により収縮させることで容器本体１１の外周面に密着させるシュリンクフィルムの形態や、容器本体１１の外周面に巻き付ける形態の巻きフィルムの形態などにより、容器本体１１に設けることができる。
【００３０】
吹き出し枠１７は、一連の線で結ばれて閉じた枠として構成されるものであり、飲み口１２側に配置される尖端部１７ａと、文字１５を配置するのに十分な縦横幅を有する空白部１７ｂと、を有して構成される。
【００３１】
なお、本実施例の吹き出し枠１７の形状は、長方形の長手方向に半円をもうけてなる形状としたが、楕円形状や四角形状としてもよく、特に形状は限定されるものではない。
【００３２】
文字１５は、短い言葉、台詞（セリフ）などを表す各種文字である。図２（ａ）（ｂ）（ｃ）の例では、それぞれ、『てんあげ』『げきおこ』『それな。』が表示されている。ここで例示した文字１５は、流行語として知られているものであり、主に、１０代、２０代の若い年代においてよく利用される用語である。
【００３３】
このほかにも、『めんでぃー』『あーね』『げきおこ』『わちゃわちゃ』、などといった用語が考えられる。また、このような短い用語の他にも、文章とすることや、文字・文章を表現する図柄（顔文字や、動物の顔の表情、動作）、及び、それらの組合せといったように、意思疎通のためのあらゆる表示を吹き出し枠１７に表示することができる。
【００３４】
また、図１に示すように、文字１５は、横書きとすることもできる。また、一つの飲料容器１において、同一の内容の文字１５を表示するものとし、表側に横書き表示とし（図１）、裏側に縦書き表示（図２（ｃ））とするように、縦書きと横書きを組み合わせて表示することもできる。これによれば、図３（ａ）（ｃ）（ｄ）のように、撮影した写真画像を見る相手に対して文字を横方向に読ませることや、図３（ｂ）（ｅ）に示すように、相手に対して文字を縦方向に読ませることが可能となり、使い分けることが可能となる。
【００３５】
また、このように、一つの飲料容器１において同一の内容の文字を縦書きと横書きで表示する他、異なる内容の文字を表示することとしてもよい。つまり、例えば、一つの容器において、表側に図２（ａ）の『てんあげ』の文字、裏側に図２（ｂ）の『げきおこ』の文字を表示するなどである。
【００３６】
そして、以上の構成により、図１に示すように、飲料容器１の飲み口を口に近づける（或いは、咥える）と、吹き出し枠及び吹き出し枠の中に表示される文字１５により、当該人物２がその文字１５を口から発しているように見せることが可能となる。
【００３７】
この状況をスマートフォン４などのカメラで静止画像として撮影することで、図３の各図に示すように、人物が発する吹き出し内の文字を言葉として発しているように見せることができ、漫画（マンガ）の一コマのような写真を作製することができる。
【００３８】
この撮影された画像は、そのまま台詞（セリフ）付きの人物写真として完成されるものであり、画像処理も必要ないため、極めて容易に作製することができる。つまり、撮った写真をそのまま使用できる。
【００３９】
撮影は、図１に示すように自分で撮影する『自撮り』の他にも、他の撮影者によって撮影してもらうこととしてもよい。また、被写体となる人物は一人に限らず、図３（ｂ）（ｄ）（ｅ）のように、二人などの複数人としてもよい。
【００４０】
以上のようにして本考案を実施することができる。
即ち、図１及び図２（ａ）に示すように、
文字１５や図柄等を表示するための吹き出し枠１７を有し、
吹き出し枠１７の尖端部１７ａが飲み口１２側に向けられるように設けられる、飲料容器１とするものである。
【００４１】
これにより、図３（ａ）〜（ｅ）の各図に示されるように、飲料容器の飲み口を口に近づける、或いは、口に咥えることにより、あたかも、吹き出し枠１７に表示された文字１５等を擬似的に発している状態を表現することができ、画像写真とすることで、漫画（マンガ）の一コマのような写真を作製することができる。そして、この写真はそのまま台詞（セリフ）付きの人物写真として完成されるものであり、画像処理も必要ないため、極めて容易に作製することができ、ＳＮＳやチャットなどの各種コミュニケーションツールを使用して容易に共有することができ、新鮮かつ斬新で新たな表現方法として楽しむことができる。
このように写真で楽しむ他、飲料容器を口に近づける、咥える等の動作をしてその場にいる人たちに見せてその時の自分の気持ちを表現したり、その場の会話に応じたリアクションとして周囲の人達にアピールするなどの楽しみ方もできる。
【００４２】
また、図２（ａ）に示すように、尖端部１７ａは尖端を通過する中心線Ｃに対し線対称とする略三角形状をなすものであり、中心線Ｃが筒状の飲み口１２の軸線と一致する、こととする。
【００４３】
これにより、飲み口１２が口に咥えられた際に、顔を横から見た場合には尖端部１７ａを必ず上唇と下唇の間にピッタリあわせることができ、顔を正面から見た場合には尖端部１７ａを唇横幅の中心にピッタリ合わせることができ、吹き出し枠を利用した表現において、最も好適な尖端部１７ａの配置を実現することができる。
【００４４】
また、図２（ａ）に示すように、吹き出し枠１７の尖端部１７ａの尖端は、飲み口１２の基端部１２ａの近傍に配置される。
【００４５】
これにより、吹き出し枠１７の尖端部１７ａを口元により近づけることができ、より自然に言葉などを発している様子を表現することができる。なお、近傍とは、図２（ａ）に示すような実施例においては、飲み口１２の外径が広がり始める部位（基端部１２ａ）から、２ｃｍ以下とすることが好ましく、１ｃｍ以下とすることがより好ましい。
【００４６】
また、図２（ａ）に示すように、前記吹き出し枠１７は、前記飲料容器１の容器本体１１の外周面にラッピングされるフィルム１３に表示される、こととするものである。
【００４７】
これにより、フィルム１３に印刷される吹き出し枠１７や、その中に表示される文字１５などのバリエーションを準備することで、さまざまなバリエーションの飲料容器１を容易に市場に提供することができる。
【００４８】
なお、フィルム１３を容器本体１１にラッピングすることとする他、容器本体１１に直接的に吹き出し枠１７などを印字することも可能である。また、吹き出し枠１７などが表示されたシールを容器本体１１に貼り付けることで実施することも可能である。
【００４９】
また、飲料容器１の外観は、少なくとも表面と裏面の二つの面を形成し得る構成としており、表面側と裏面側にそれぞれ吹き出し枠１７が表示されており、表面側と裏面側の吹き出し枠１７に表示される内容が相違する、こととするものである。
【００５０】
これにより、例えば、表面側には縦方向に読める文字を表示し、裏面側には横方向に読める文字を表示することによれば、適宜容器本体１１の傾き角度を替えつつ、台詞などの文字を横方向に発している様子と、縦方向に発している様子を表現することができる。また、意味内容の異なる複数種類の表示を一つの飲料容器に表示することによれば、一つの飲料容器により複数の意味を伝えることが可能となり、楽しみ方を広げることができる。
【００５１】
図４は、縦方向と横方向の文字列を表裏に配置するためのフィルム１３の例であり、縦読みの『げきおこ』、横読みの『げきおこ』が表示されるものである。また、この表示の他にも、他の文字のバリエーションを縮小して併記することで、他のバリエーションも存在することを消費者にアピールすることがきる。
【００５２】
なお、以上の実施例においては、ペットボトル容器を用いることとしたが、容器については飲み口があるものであれば本考案を応用することができ、例えば、ガラス瓶、パウチ式容器、紙パックなどでも、本考案を実施することは可能である。
【００５３】
また、本考案の飲料容器に充填される内容物は、ジュース、お茶、炭酸飲料などのソフトドリンクやアルコール飲料といった液体飲料はもちろんのこと、ゼリー、流動食など、飲み口を通じて口にされるものであればよく、特段限定するものではない。
【符号の説明】
【００５４】
１    飲料容器
２    人物
４    スマートフォン
６    顔
１１    容器本体
１１ａ  肩部
１２    飲み口
１２ａ  基端部
１３    フィルム
１５    文字
１７    吹き出し枠
１７ａ  尖端部
１７ｂ  空白部
【図１】
0003210137.tif 000003
【図２】
0003210137.tif 000004
【図３】
0003210137.tif 000005
【図４】
0003210137.tif 000006